(57)【要約】基部面（２）と高所面（３）との間のアクセスを提供するように構成されるアクセス装置（１）。アクセス装置（１）は、当該装置（１）を高所面（３）の先端部より下方に固定するための装着部（４）と、その第１の端部（９）が装着部（４）の上端部（１１）に枢着される第１のはしご部材（５）と、その第１の端部（１２）が第１のはしご部材（５）の第２の端部（１３）に枢着される第２のはしご部材（６）と、装着部（４）と第１のはしご部材（５）との間に動作可能に接続され、アクセス位置と保管位置との間において第１のはしご部材（５）の移動を制御する駆動手段（７）と、装着部（４）の下端部と第２のはしご部材（６）との間に動作可能に接続され、駆動手段（７）が第１のはしご部材（５）を移動させるときに、第２のはしご部材（６）の移動をガイドするガイドアーム（８）とを含む。ユーザによる駆動手段（７）の操作によって、アクセス位置と保管位置との間においてアクセス装置（１）の動作を制御する。アクセス位置において、第１のはしご部材（５）および第２のはしご部材（６）のそれぞれは略整列し、高所面（３）から角度を付けて外方かつ下方に伸長する。保管位置において、第１のはしご部材（５）および第２のはしご部材（６）のそれぞれは、装着部（４）に近接して略垂直に配置されるように格納され、第２のはしご部材（６）は第１のはしご部材（５）に対して略反転される。
2013519576.tif 000002
【特許請求の範囲】
【請求項１】
基部面と高所面との間のアクセスを提供するように構成されるアクセス装置であって、
前記装置を高所面の先端部より下方に固定するための装着部と、
第１のはしご部材であって、その第１の端部が前記装着部の上端部に枢着される第１のはしご部材と、
第２のはしご部材であって、その第１の端部が前記第１のはしご部材の第２の端部に枢着される第２のはしご部材と、
前記装着部と前記第１のはしご部材との間に動作可能に接続され、アクセス位置と保管位置との間において前記第１のはしご部材の動作を制御する駆動手段と、
前記装着部の下端部と前記第２のはしご部材との間に動作可能に接続され、前記駆動手段が前記第１のはしご部材を移動させるときに、前記第２のはしご部材の動作を案内するガイドアームと、を備え、
ユーザによる前記駆動手段の操作によって、アクセス位置と保管位置との間において前記アクセス装置の動作を制御し、
前記アクセス位置において、前記第１のはしご部材および第２のはしご部材のそれぞれは略整列し、前記高所面から角度を付けて外方かつ下方に伸長し、
前記保管位置において、前記第１のはしご部材および第２のはしご部材のそれぞれは前記装着部に近接して略垂直に配置されるように格納され、前記第２のはしご部材は前記第１のはしご部材に対して略反転される、アクセス装置。
【請求項２】
前記駆動手段は、
三角形の配列で離間する３つの枢動コネクタを有する回転可能な部材と、
前記装着部の中間部分に装着アームを介して取り付けられる、前記コネクタのうちの第１のコネクタと、
前記第１のはしご部材に制御アームを介して取り付けられる、前記コネクタのうちの第２のコネクタと、
前記装着部の先端部に伸長可能なアームを介して取り付けられる、前記コネクタのうちの第３のコネクタと、を含み、
前記伸長可能なアームの収縮または伸長が生じることによって、前記回転可能な部材が前記第１のコネクタを中心として回転し、それにより前記第１のはしご部材の動作を制御し、結果として、前記アクセス装置が前記アクセス位置と保管位置との間を移動する、請求項１に記載のアクセス装置。
【請求項３】
前記第１のはしご部材の少なくとも片側に取り付けられた手すりをさらに含む、請求項１または請求項２に記載のアクセス装置。
【請求項４】
前記駆動手段は、油圧、空気圧または電動シリンダを含む、請求項１〜３のいずれか一項に記載のアクセス装置。
【請求項５】
前記アクセス位置において、前記はしご部材はそれぞれ、前記基部面に対して６０°から７５°の間に配置され、最も好ましくは６２°に配置される、請求項１〜４のいずれか一項に記載のアクセス装置。
【発明の詳細な説明】
【技術分野】
【０００１】
本発明はアクセス装置に関し、具体的には、基部面と高所面との間のアクセスを提供し、アクセス位置と保管位置との間で移動可能である、アクセス装置に関する。
本装置は一対のはしご部材を有する。アクセス位置において、はしご部材は高所面から一般的に外方かつ下方に伸長する。保管位置において、はしご部材は装着部に近接して略垂直に配置されるように格納され、はしご部材の１つは第１のはしご部材に対して略反転される。
【背景技術】
【０００２】
本明細書における任意の従来の刊行物（もしくは刊行物から派生する情報）または既知である任意の事項に対する参照は、従来の刊行物（もしくは刊行物から派生する情報）または既知の事項が、本明細書が関連する技術分野において共通の一般知識の一部を形成するということを承認、許可またはいかなる形式においても示唆するものと理解されず、また理解されてはならない。
【０００３】
たとえば鉱車、土工車両またはその他類似の車両上などの高所面と基部面との間のアクセスを提供することが望ましい場合に、アクセス装置の収容位置においては、アクセス装置が車両の通常の作業を妨害せず、アクセス装置のアクセス位置においては、基部面と高所面との間の容易なアクセスを提供するように、アクセス装置を設置する必要がある。
【０００４】
アクセス位置において、この装置は労働安全衛生要件にしたがって所定の角度の範囲内に配置すべきであり、装置にはユーザが装置を昇降しやすいように手すりを設けるべきである。好ましい角度の範囲は６０°から７５°の間であり、最適にはおそらく６２°である。
【発明の概要】
【発明が解決しようとする課題】
【０００５】
本発明は、基部面と高所面との間のアクセスを提供するためのアクセス装置を提供することを目的とする。
【課題を解決するための手段】
【０００６】
本発明はまた、アクセス位置と保管位置との間を移動可能なアクセス装置を提供することを目的とする。アクセス位置において、アクセス装置は、略整列（ｃｏａｌｉｇｎ）して、高所面から角度を付けて外方かつ下方に伸長する第１のはしご部材および第２のはしご部材を有する。保管位置において、第１のはしご部材および第２のはしご部材のそれぞれは、装着部に近接して略垂直に配置されるように格納され、第２のはしご部材は第１のはしご部材に対して略反転される。
【０００７】
広範な一形態において、本発明は、基部面と高所面との間のアクセスを提供するように構成されるアクセス装置を提供する。本アクセス装置は、
該装置を高所面の先端部より下方に固定するための装着部と、
第１のはしご部材であって、その第１の端部が装着部の上端部に枢着される第１のはしご部材と、
第２のはしご部材であって、その第１の端部が第１のはしご部材の第２の端部に枢着される第２のはしご部材と、
装着部と第１のはしご部材との間に動作可能に接続され、アクセス位置と保管位置との間において第１のはしご部材の移動を制御する駆動手段と、
装着部の下端部と第２のはしご部材との間に動作可能に接続され、駆動手段が第１のはしご部材を移動させるときに、第２のはしご部材の動作を案内するガイドアームと、を含み、
ユーザによる駆動手段の操作によって、アクセス位置と保管位置との間におけるアクセス装置の動作を制御し、
アクセス位置において、第１のはしご部材および第２のはしご部材のそれぞれは略整列し、高所面から角度を付けて外方かつ下方に伸長し、
保管位置において、第１のはしご部材および第２のはしご部材のそれぞれは装着部に近接して略垂直に配置されるように格納され、第２のはしご部材は第１のはしご部材に対して略反転される。
【０００８】
好ましくは、駆動手段は、
三角形の配列で離間する３つの枢動コネクタを有する回転可能な部材と、
装着部の中間部分に装着アームを介して取り付けられる、前記コネクタのうちの第１のコネクタと、
第１のはしご部材に制御アームを介して取り付けられる、前記コネクタのうちの第２のコネクタと、
装着部の先端部に伸長可能なアームを介して取り付けられる、前記コネクタのうちの第３のコネクタと、を含み、
伸長可能なアームの収縮または伸長が生じることによって、前記回転可能な部材が第１のコネクタを中心として回転し、それにより第１のはしご部材の動作を制御し、結果として、アクセス装置がアクセス位置と保管位置との間を移動する。
【０００９】
また好ましくは、アクセス装置は第１のはしご部材の少なくとも片側に取り付けられた手すりをさらに含む。
また好ましくは、駆動手段は油圧、空気圧または電動シリンダを含む。
【００１０】
また好ましくは、アクセス位置において、はしご部材はそれぞれ、基部面に対して６０°から７５°の間に配置され、最も好ましくは６２°に配置される。
本発明は、本発明の好ましい、ただし限定するものではない実施形態を、添付図と関連して記載する以下の詳細な説明によって、より完全に理解されよう。
【図面の簡単な説明】
【００１１】
【図１】本発明の好ましい実施形態によるアクセス装置を示す斜視図。
【図２】図１のアクセス装置を示す別の斜視図。
【図３】（ａ）は図１および図２のアクセス装置を示す側面図。（ｂ）は図１および図２のアクセス装置を示す正面図。（ｃ）は図１および図２のアクセス装置を示す上面図。
【図４】「アクセス」位置におけるアクセス装置を示す側面図。
【図５】「中間」位置におけるアクセス装置を示す側面図。
【図６】「格納」位置におけるアクセス装置を示す側面図。
【図７】アクセス位置と格納位置との間においてアクセス装置の移動を示す図。
【図８】駆動手段を丸で囲んだ、本発明のアクセス装置を示す斜視図。
【図９】図８の丸で囲んだ部分Ａを示す詳細図であり、具体的には、本発明のアクセス装置の駆動手段を詳細に示す図。
【発明を実施するための形態】
【００１２】
複数の図を通じて、別段の明示がない限り、類似の符号は類似する特徴を特定するために用いられる。
本アクセス装置は概して符号１で表され、基部面２と高所面３との間のアクセスを提供する。装置１は装着部４と、第１のはしご部材５と、第２のはしご部材６と、駆動手段７と、ガイドアーム８とを含む。
【００１３】
装着部４は装置１を高所面３の先端部より下方に固定するためのものである。第１のはしご部材５の第１の端部９は枢支点１０で、装着部４の上端部１１に枢着される。第２のはしご部材６はその第１の端部１２において、第１のはしご部材５の第２の端部１３に対して枢着点１４で枢着される。駆動手段７は装着部４と第１のはしご部材５との間に動作可能に接続され、以下に説明するように、図４で示すアクセス位置と図６で示す保管位置との間における第１のはしご部材５の移動を制御する。図５は図４のアクセス位置と図６の保管位置との間の中間位置を示す。
【００１４】
ガイドアーム８は装着部４の下端部１５と第２のはしご部材６との間に動作可能に接続され、駆動手段７が第１のはしご部材５を移動させるときに、第２のはしご部材６の移動を案内する。図示するガイドアーム８は、枢支点（ｐｉｖｏｔ  ｐｏｉｎｔ）１８で第２のガイドアーム部材１７に対して枢着される第１のガイドアーム部材１６を有する。ガイドアーム部材１７の別の端部は、枢着点（ｐｉｖｏｔａｌ  ｃｏｎｎｅｃｔｉｏｎ）１９で第２のはしご部材６と枢着される。
【００１５】
したがって、ユーザが駆動手段７を操作すると、図４に示すアクセス位置と図６に示す保管位置との間のアクセス装置１の移動が制御され得る。
図４に示すように、アクセス位置においては、第１のはしご部材５および第２のはしご部材６のそれぞれは略整列し、高所面３から角度を付けて外方かつ下方に伸長する。ユーザが駆動手段７を起動すると、矢印２０で示すように、図５に示す中間位置から図６に示す保管位置まで装置が移動する。
【００１６】
図６に示す保管位置では、第１のはしご部材５および第２のはしご部材６のそれぞれは装着部４に近接して略垂直に配置されるように格納される。この位置では、第２のはしご部材６は第１のはしご部材５に対して１８０°枢動され、第１のはしご部材５に対して、および第２のはしご部材６の最初の位置に対して略反転される。
【００１７】
図７は図４、図５および図６に示す様々な位置を重ね合わせて示す。
図８は装置の斜視図を示し、駆動手段を丸で囲んでいる。図９は図８で丸で囲んだ駆動手段の部分の拡大図を例示する。
【００１８】
駆動手段は、３つの枢着点２２，２３，２４を有する回転可能な部材２１を含む。第１の枢着点は装着アーム２５によって、装着部４に取り付けられる。第２の枢着点２３は枢着点３０において、制御アーム２６によって第１のはしご部材５に対して枢着される。
【００１９】
第３の枢着点２４は、装着部４の上部先端部２７に対して伸長可能なアーム機構２８を介して取り付けられる。装着アームの上部先端部に接続される伸長可能なアーム機構２８の別の端部は、枢支点２９によって接続される。
【００２０】
したがって、伸長可能なアーム機構２８の収縮または伸長によって、回転可能な部材２１が枢支点２２を中心として回転する。第１のはしご部材５は制御アーム２６を介して回転可能な部材２１に接続しているため、回転可能な部材２１が枢支点２２を中心に回転することによって、第１のはしご部材５の移動が制御される。制御アーム２６は枢着点３０を介して第１のはしご部材５と、枢着点２３を介して回転可能な部材２１と、両方に対して回転することができる。
【００２１】
その結果、伸長可能なアーム２８が伸長または収縮すると、図４に示すアクセス位置と図６に示す保管位置との間で、アクセス装置１の移動が行われる。
アクセス装置は、好ましくは、アクセス装置の片側または両側に取り付けられた手すりをさらに含む。図示する実施形態では、手すり３１は第１のはしご部材５の両側に接続されている。
【００２２】
図に示す駆動手段７はシリンダ３２およびピストン機構３３を含む。駆動手段は油圧、空気圧または電動シリンダとして実現されてもよい。同様に、別の形式のモータを用いて回転可能な部材２１を回転させてもよい。
【００２３】
したがって、本発明のアクセス装置は、鉱山などで使用される土工設備を備えた列車またはその他類似の車両などの車両側面に取り付ける際に、特に有益であることが当業者には理解されよう。本アクセス装置は、車両の基部面と高所面との間でユーザがアクセスできるように外側に傾斜する位置で適切に配置される一方、保管位置では車両側面に完全に格納されるように提供されることが望ましい。本発明のアクセス装置は、アクセス位置または保管位置のどちらにおいても、高所面の邪魔にならないような方法で、当該車両の側面に搭載されるように適合される。当業者には、本発明のアクセス装置に対する様々な変更または修正が明らかであろう。これらすべての変形および修正は、上に記載する本発明の精神と範囲内にあると理解されるべきである。
【図１】
2013519576.tif 000003
【図２】
2013519576.tif 000004
【図３（ａ）】
2013519576.tif 000005
【図３（ｂ）】
2013519576.tif 000006
【図３（ｃ）】
2013519576.tif 000007
【図４】
2013519576.tif 000008
【図５】
2013519576.tif 000009
【図６】
2013519576.tif 000010
【図７】
2013519576.tif 000011
【図８】
2013519576.tif 000012
【図９】
2013519576.tif 000013
【国際調査報告】
2013519576.tif 000014
2013519576.tif 000015